(57)【要約】  タバコ製品、特にタバコ用のパックが、活性物質を含有するマイクロカプセル３８を備える。当該マイクロカプセル３８は、パックを初めて開封するときに放出される。特に、当該マイクロカプセル３８は、多層に折り畳まれたクーポン券３７の複数の層の間又は複数の脚部４０，４１の間に配置されている。  当該独立したブランクを引き出すときに、当該マイクロカプセルが破壊され、芳香剤が放出される。
2014524391.tif 000002
【特許請求の範囲】
【請求項１】
少なくとも１つのパックブランク、特に薄いボール紙、紙又は多層の材料から成るタバコ製品用のパック、特にタバコパックであって、芳香剤若しくは香料のような活性物質の、マイクロカプセル（３８）、マイクロスフェア又はその他の活性物質キャリアが、前記パック内に又は前記パックに対して固着されていて、前記マイクロカプセル（３８）、マイクロスフェア又はその他の活性物質キャリアは、前記パックを初めて開封したときに又は使用中に活性物質を放出する当該パックにおいて、
前記パック内に又は前記パックに対して固着された、マイクロカプセル（３８）を有する領域が、直接若しくは間接な押圧によって、摩擦によって、ブランク若しくはブランクの一部を前記パックから切除することによって、又はマイクロカプセル（３８）を有するブランクを前記パックの近くで変形させることによって破壊可能であることを特徴とするパック。
【請求項２】
パック壁、特にヒンジ蓋付き箱形のパックの箱前壁（１３）が、開口部（３６）を有し、この開口部（３６）は、内側にあるパック壁、特にカラー前壁（２５）を露出させ、マイクロカプセル又は（手によって）分解可能なその他の活性物質用キャリアから成る領域が、内側にある内壁、特にカラー前壁（２５）に対する前記開口部（３６）の領域内に配置されていることを特徴とする請求項１に記載のパック。
【請求項３】
活性物質を有するマイクロカプセル（３８）が、少なくとも開かれたパックのときに露出するパック壁とパック壁との間、特に蓋前壁（１８）と蓋内側タブ（２４）との間に配置されていて、当該マイクロカプセルは、これらのパック壁に対する（手動による）圧力によって分解可能であることを特徴とする請求項１又は２に記載のパック。
【請求項４】
マイクロカプセル（３８）は、前記パック内の独立したカプセルキャリア、特にクーポン券（３７）に対して配置されていて、前記マイクロカプセル（３８）は、前記カプセルキャリアの一部又はその全部を前記パックから引き出すことによって活性化可能であることを特徴とする請求項１〜３のいずれか１項に記載のパック。
【請求項５】
カプセルキャリア、特にクーポン券（３７）が、特に折り畳まれた多層のブランクとして形成されていて、前記クーポン券（３７）を前記パックから引き出し、その結果として発生した展開によって、マイクロカプセル（３８）が、破壊可能であるように、前記マイクロカプセル（３８）は、前記クーポン券（３７）の、折り畳みによって形成された脚部（４０，４１）に対して固着されていて、前記クーポン券（３７）の、特に少なくとも３つの層又は脚部（４０）が、カラー前壁（２５）とタバコブロック（３１）との間の領域内に配置されていて、摘まみ要素（３９）が、１つの脚部（４０）の拡張部分として、特に前記カラー前壁（２５）の凹部（２９）の領域内で露出し、特に別の１つの脚部−端部脚部（４１）−が、前記カラー前壁（２５）に剥離可能に結合されていることを特徴とする請求項１〜４のいずれか１項に記載のパック。
【請求項６】
マイクロカプセル（３８）は、前記クーポン券（３７）の隣接した複数の脚部（４０，４１）間だけに配置されていて、折り畳まれた前記クーポン券（３７）は、前記マイクロカプセル（３８）を有する前記脚部（４０，４１）を成して、前記パックの、凹部（２９）の下方のカラー（１２）又は前記カラー前壁（２５）の領域内に存在することを特徴とする請求項１〜５のいずれか１項に記載のパック。
【請求項７】
マイクロカプセル（３８）は、タバコブロック（３１）の内側の包装紙（３０）の一部を引き出すことによって、特に前記パックを初めて開封したときにフラップ（３５）を引き出すことによって破壊可能であることを特徴とする請求項１〜６のいずれか１項に記載のパック。
【請求項８】
マイクロカプセル（３８）が、フラップ（３５）を引き出すときに破壊可能であるように、前記マイクロカプセル（３８）は、カラー前壁（２５）の、タバコブロック（３１）に面した内面及び／又はカラー側タブ（２６）に対して配置されていて、特に前記マイクロカプセル（３８）の面又は層として、内側の包装紙（３０）の前記フラップ（３５）の領域内に配置されていることを特徴とする請求項１〜７のいずれか１項に記載のパック。
【請求項９】
前記マイクロカプセル（３８）は、独立したキャリア、特にカプセルブランク（４５）に対して固着されていて、このカプセルブランク（４５）は、マイクロカプセル（３８）の層と一緒に、パック又は箱部（１０）から引き出し可能なパックの一部、特にフラップ（３５）に面していて、前記カプセルブランク（４５）は、特にカラー前壁（２５）の内面に結合させることによって前記箱部（１０）内に固定されていることを特徴とする請求項１〜８のいずれか１項に記載のパック。
【請求項１０】
マイクロカプセル（３８）は、蓋（１１）を（初めて）開けたときに、外側のカプセルキャリアの配置に起因して、特に前記パックの外面に配置された、特に箱部（１０）と蓋（１１）との間の線状枢着部（２３）の領域内のラベル（４７）の配置によって破壊可能であり、箱後壁（１４）と蓋後壁（１９）とに結合されているラベル（４７）が、前記線状枢着部（２３）の領域内にマイクロカプセル（３８）を有する芳香帯（４９）を備え、当該マイクロカプセル（３８）は、前記蓋（１１）を開ける動作のときに、当該複数のパック壁（１４，１９）が持ち上がることによって及び／又は前記カプセルキャリアが折れ曲がることによって破壊可能であることを特徴とする請求項１〜９のいずれか１項に記載のパック。
【請求項１１】
特に冷却媒体を活性物質として有する物質キャリア（５０）が、タバコパックの外面に対して固着されていて、特にヒンジ蓋付き箱の蓋（１１）の内壁の外面に対して固着されていて、前記物質キャリア（５０）は、前記パックを初めて開封するまで、特に外側の包装紙（５４）によって覆われていて、前記パックを初めて開封したときに、当該カバーつまり前記外側の包装紙（５４）の少なくとも一部を、前記活性物質を放出させるために切除することによって露出されることを特徴とする請求項１〜１０のいずれか１項に記載のパック。
【請求項１２】
外側の包装紙（５４）が、特に窪み部（５２）を包囲するシールストリップ（５３）と一体となって、窪み部（５２）の外側のカバー又はシールとして作用するように、活性物質キャリア又は液体を吸収している平面状の物質キャリア（５０）が、前記パックの、当該活性物質の成形によって形成された、特に蓋前壁（１８）の領域内の窪み部（５２）内に位置決めされていることを特徴とする請求項１〜１１のいずれか１項に記載のパック。
【請求項１３】
薄いボール紙、紙又は多層のパック材料から成る少なくとも１つのパックブランクからタバコ製品用のパック、特にタバコパックを製造するための方法であって、特に芳香剤若しくは香料の、マイクロカプセル（３８）、マイクロスフェア又はその他の活性物質キャリアが、前記パック内に又は前記パックに対して固着されていて、前記マイクロカプセル（３８）、マイクロスフェア又はその他の活性物質キャリアは、破壊によって当該活性物質を放出させる当該パックにおいて、
前記パックの製造及び／又は充填中に、特に前記パックのブランクの折り畳みタブの折り畳み時に、マイクロカプセル（３８）が破壊され、前記活性物質が、当該破壊によって放出されることを特徴とする方法。
【請求項１４】
前記マイクロカプセルは、密接している少なくとも２つの折り畳みタブ間に配置され、当該マイクロカプセル（３８）は、圧力をこれらの折り畳みタブ上に伝達することによって分解されることを特徴とする請求項１３に記載の方法。
【請求項１５】
前記マイクロカプセルは、当該構成ではヒンジ蓋付き箱としてのタバコパックの蓋（１１）の、蓋前壁（１８）と蓋内側タブ（２４）との間に配置され、この蓋内側タブ（２４）をこの蓋前壁（１８）の内面に対して折り畳む間に、圧力が、折り畳み機構によって及ぼされ、前記マイクロカプセル（３８）が破壊されることを特徴とする請求項１３又は１４に記載の方法。
【発明の詳細な説明】
【技術分野】
【０００１】
本発明は、請求項１の上位概念の特徴を有するタバコ製品、特にタバコ用パックに関する。さらに、本発明は、当該タバコ用パックを製造するための方法に関する。
【背景技術】
【０００２】
タバコパック用の芳香剤のキャリア又は芳香剤の貯蔵部としてのマイクロカプセルを使用することが、基本的に公知である（国際公開第０３／０００５７１号パンフレット）。芳香剤を含有するマイクロカプセルから成るコーティングが、ヒンジ蓋付き箱形のタバコパックに施されている。当該ヒンジ蓋付き箱の蓋を開くと、マイクロカプセルが、パックの、蓋とカラーとの間の摩擦によって破壊される結果、当該マイクロカプセルの芳香物質が放出される。
【０００３】
本発明は、特に（タバコ）パックを初めて開封したときに放出又は活性される活性物質用のキャリアとしてのマイクロカプセル又はマイクロスフェアの適用を改良し発展させることに関する。
【先行技術文献】
【特許文献】
【０００４】
【特許文献１】国際公開第０３／０００５７１号パンフレット
【特許文献２】独国特許第２４６３３８６号明細書
【特許文献３】独国特許出願公開第１０２００９０５３２０２号明細書
【特許文献４】独国特許出願公開第１０２００９０３４７０５号明細書
【特許文献５】欧州特許０５８９２８９号明細書
【発明の概要】
【発明が解決しようとする課題】
【０００５】
本発明の課題は、活性物質を放出させるための、購買者にとって容易な、高い信頼性の取り扱いが達成される一方で、パックの、機械を用いた問題のない製造が保証されるように、タバコ製品用のパック、特にタバコパックを形成又は提供することにある。
【課題を解決するための手段】
【０００６】
本発明の課題は、請求項１の特徴部分に記載の特徴を有する本発明のパックによって解決される。活性物質を含有するマイクロカプセル又は活性物質のその他のキャリアを有する（タバコ）パックのその他の特別な構成は、従属請求項に記載されている。
【０００７】
本発明のパックは、芳香物質又はその他の活性物質のキャリア−マイクロカプセル−が、パックの、購買者に対して直接に露出していない領域内に配置されていることを特徴とする。特に、独立したキャリアが、マイクロカプセル用に設けられている。特に、（折り畳まれた）クーポン券、タバコパックの内側の包装紙（銀紙製のブランク）の可動部分又は外側に貼付されたブランクつまりレベルが、マイクロカプセル用に設けられている。別の構成によれば、ヒンジ蓋付の箱形のタバコパックのカラーが、マイクロカプセルのキャリアである。この場合、芳香物質が、手動で直接に操作することによって又はパックを開いたときの蓋の一部を通じて露出される。
【０００８】
当該マイクロカプセルは、パックを初めて開封したときに破壊され、特に当該マイクロカプセルの複数のキャリアの相対移動に起因して、活性物質が放出される。しかし、この代わりに又はこれに加えて、当該マイクロカプセルは、購買者が直接に摘まむことによって破壊されてもよい。さらに、或る方法が、パックの製造時に使用されてもよい。この方法では、マイクロカプセルが、パックの折り曲げ工程及び充填工程中に破壊され、芳香物質が放出される。最後に、芳香物質が、パック内に組み込まれ得る。当該芳香物質は、−化学分解することなしに−対応する技術特性に起因して活性物質、特に芳香剤を、特に気化作用によって、より長い期間にわたって自発的に放出する。
【０００９】
活性物質のキャリアが、液体を吸収している部材として、例えば発泡材又は不織布材料等から形成されてもよい。当該活性物質のキャリアは、パックの密封されている領域内で広範囲で密封されるように位置決めされ得る。この場合、特に、フィルムから成る外側の包装紙を切除することによって、パックを初めて開封すると、当該活性物質のキャリアが露出され、したがって、活性物質が放出される。当該活性物質は、特に芳香剤又は冷却作用を有する化学物質である。
【００１０】
以下に、タバコパックの実施の形態を図面に基づいて詳しく説明する。
【図面の簡単な説明】
【００１１】
【図１】閉位置にある、ヒンジ蓋付き箱形のタバコ用パックの斜視図である。
【図２】開かれた蓋のときの、図１によるパックを示す。
【図３】別の実施の形態における、開かれた蓋のときの、タバコ用のヒンジ蓋付き箱の斜視図である。
【図４】図３のパックの平面ＩＶ−ＩＶの垂直断面を拡大して示す。
【図５】ヒンジ蓋付き箱形のタバコ用パックの別の実施の形態の斜視図である。
【図６】図５によるパックの、図５の垂直断面ＶＩ−ＶＩを示す。
【図７】開かれた蓋のときの、図５及び図６によるパックの、図６に対応した垂直断面を示す。
【図８】開かれた蓋のときの、タバコ用のヒンジ蓋付き箱の別の実施の形態の垂直断面を示す。
【図９】開いて、タバコを取り出しているときの、図８によるパックの、図８の垂直断面を示す。
【図１０】閉位置にある、ヒンジ蓋付き箱の別の実施の形態の後側の斜視図である。
【図１１】図１０の断面ＸＩ−ＸＩ内の、蓋の領域内の垂直部分断面を拡大して示す。
【図１２】開かれた蓋のときの、図１１に対応した図である。
【図１３】活性物質のキャリアを有する、タバコ用のヒンジ蓋付き箱の外側の斜視図である。
【図１４】図１３によるパックの、図１３の断面ＸＩＶ−ＸＩＶ内の上方の部分領域の垂直断面を拡大して示す。
【図１５】パックを最初に開いたときを図１４と同様に示す。
【発明を実施するための形態】
【００１２】
図面に示された実施の形態は、ヒンジ蓋付き箱形のタバコ用パックと呼ばれるものである。標準的な構成では、この種類のパックは、（下側の）箱部１０、蓋１１及びカラー１２から構成される。一般に、箱部１０及び蓋１１が、１つのブランクを適切に折り曲げることによって製造されている。この箱部１０は、（広い面積の）箱前壁１３を形成し、これに対向して箱後壁１４を形成し、細くて直立した箱側壁１５，１６を形成し、且つ底壁７を形成する。同様に、蓋１１は、蓋前壁１８、蓋後壁１９、蓋側壁２０，２１及び端壁２２から構成される。
【００１３】
箱部１０及び蓋１１が、箱後壁１４と蓋後壁１９との領域内で横方向の線状枢着部２３を介して互いに結合されている。側壁１５，１６と側壁２０，２１とはそれぞれ、二層式に形成されるように、互いに結合されている内側タブと外側タブとから構成される。さらに、蓋前壁１８は、２つの部分から形成されている、すなわち蓋内側タブ２４を有する。
【００１４】
このパックの例では、カラー１２は、独立したブランクから成り、且つカラー前壁２５と横方向のカラー側タブ２６とを形成する。カラー上部２８が、箱部１０から突出し、開かれた蓋１１のときに露出するように、当該カラー１２は、この箱部１０内に配置されていて、且つ接着領域２７を介して少なくとも箱前壁１３に固着されている。カラー前壁２５が、カラー上部２８の領域内に窪み又は凹部２９を形成する。この窪み又は凹部２９は、部分的に湾曲された縁部によって画定されている。
【００１５】
主に、パックの中身は、一群のタバコである。当該一群のタバコは、内側ブランク３０、特に銀紙から成るブランクによって包装されている。すなわち、タバコブロック３１が生産される。少なくとも一部を互いに覆う折り畳みタブが、少なくとも両側の折り部、すなわち側折り部３２で形成されるように、内側ブランク３０が折り畳まれている。さらに、端折り部３３が形成されている。この端折り部３３は、外側の、特に台形の折り畳みタブ３４を有する。この折り畳みタブ３４は、前面に形成された引き出しタブ−フラップ３５−まで続いている。内側ブランク３０のこのフラップ３５の一部が、折り畳みタブ３４を摘まむことによって引き出され得る。その結果、前面のタバコの一部の領域が露出する（図９）。
【００１６】
活性物質、特に芳香剤が、パック内又はその面に固着されている。使用者が、パックに間接又は直接に作用することによって、例えば押圧及び／又は摩擦によって、又は活性物質のキャリアを露出することだけによって、当該活性物質は活性される。また、当該活性物質は、例えば気化によって冷却作用を引き起こす物質でもよい。マイクロカプセル又はマイクロスフェアとしての構造を成す当該活性物質は、パックの２点間又は２層間に配置されている。マイクロカプセルの領域上に圧力を及ぼすことによって、又は、当該２点若しくは２つの壁の相対移動によって、当該マイクロカプセルが破壊され、芳香剤が放出される。
【００１７】
図１及び図２による実施の形態では、購買者が圧力を加えることが、芳香剤を活性させるために必要である。当該芳香剤は、これに応じて拡大又は拡張されたカラー前壁２５に固着されている、つまり箱前壁１３の領域内、すなわち箱部１０内に固着されている。この箱前壁１３は、開口部３６を有する、この実施の形態では長方形又は正方形の打ち抜き部をこの箱前壁１３の領域内に有する。このため、カラー前壁２５の対応する面領域が、外側から自由に押圧するためにある。芳香剤のキャリア、特にマイクロカプセルが、カラー前壁２５の開口部３６内に配置されている。この実施の形態では、装飾カバー、例えば印刷されたフィルムが、当該キャリアに施されている。この代わりに、芳香剤のキャリア自体が、装飾カバーの形態を有してもよい。当該芳香剤は、押圧及び／又は摩擦を加えることによって放出される。この実施の形態では、カラー１２が、カラー前壁２５の見える部分（カラー上部２８）内にその都度使用される芳香剤の特徴に関する情報を有してもよい。
【００１８】
図３及び図４の実施の形態によれば、独立したブランクが、芳香剤又はマイクロカプセル用のキャリアとしてパック内に組み込まれている。この実施の形態では、ブランク又はクーポン券３７が、マイクロカプセル３８のキャリアとしてパック、すなわちは箱部１０内に配置されている。つまり、クーポン券３７が、開かれた蓋１１のときに摘ままれ、その全部又は一部をパックから引き出され得るように、当該ブランク又はクーポン券３７が、マイクロカプセル３８のキャリアとしてパック、すなわちは箱部１０内に配置されている。したがって、摩擦（及び圧力）が、パックの壁と壁との間又はパックの中身とパックの壁との間の接触力に起因して発生する。この実施の形態では、ブランク又はクーポン券３７が、タバコブロック３１とカラー１２又はカラー前壁２５との間に配置されている。摘まみ要素３９が、開かれた蓋１１のときに、カラー前壁２５の凹部２９の領域内で摘まむために露出しているように、当該クーポン券３７は、形成されて位置決めされている。
【００１９】
当該ブランク又はクーポン券３７は、特別な配列で配置されているので、引き出し時に、マイクロカプセル３８が破壊され、芳香剤が放出される。（細長くて、短冊状の）クーポン券３７が、この実施の形態では、隣接している３つの脚部４０を形成しながら複数回折り畳まれている。当該マイクロカプセル３８は、隣接した２つの脚部４０に接触しながらクーポン券３７の当該隣接した位置と位置との間又は脚部４０と脚部４０との間に配置されている。（拡張された）端部脚部４１が、−この実施の形態では、カラー前壁２５に面した側で−（２つの）接着点４２を介してパック内に（剥離可能に）固定されている。このため、クーポン券３７の引き出し時に−摘まみ要素３９を操作することによって−当該複数の層３８が、順番に展開され、その引き出し時に互いに擦れ合うことが保証される。このため、摩擦が、隣接した脚部４０と脚部４０との間及び脚部４０と端部脚部４１との間で発生する結果、当該マイクロカプセル３８が破壊される。さらに、当該クーポン券３７は、柄プリント及び／又は情報を有してもよい。
【００２０】
マイクロカプセル３８が、専らクーポン券３７の脚部４０と脚部４０との間及び脚部４０と端部脚部４１との間に位置決めされているように、当該クーポン券３７は形成されている又は折り畳まれている。この場合、当該クーポン券３７の折り畳まれたこれらの脚部の、タバコブロック３１に面した面と、箱部１０又はカラー前壁２５に面した面とには、マイクロカプセルが存在しない。特に、カラー１２とこのカラー１２に結合されているクーポン券３７とから成るユニットが、タバコブロック３１上に設置されるように、マイクロカプセル３８を有するクーポン券３７が、別に予め製造されたユニットとしてパック内に挿入され得る。次いで、こうして形成された当該ユニットは、−原理的に公知であるように−ヒンジ蓋付き箱の部分的に折り畳められたブランク内に挿入される。この場合、摘まみ要素３９が、タバコブロック３１に面した脚部４０の拡張部分として形成されていて、且つカラー前壁２５の凹部２９の領域内に存在する。このため、クーポン券３７が、蓋１１を（最初に）開けたときに手によって摘ままれ、特に、マイクロカプセル３８を破壊しながらパックから完全に引き出され得る。
【００２１】
タバコ製品用のパックの場合に、活性物質、特に芳香剤を展開する上記技術は、マイクロカプセル３８が、パックの製造時又は充填工程時に適切に破壊され、したがって活性物質が放出されるように使用されてもよい。図４は、対応する使用例を示す。マイクロカプセル３８が、パック−ここでは、従来のヒンジ蓋付き箱−の折り畳みタブと折り畳みタブとの間に配置されていて、これらの折り畳みタブを結合するため、又は、当該折り畳み位置を安定にするため、圧力が、隣接しているこれらの折り畳みタブ上に及ぼされる。特に、マイクロカプセルが、蓋１１の、蓋前壁１８と蓋内側タブ２４との間に配置され得る。当該ヒンジ蓋付き箱の製造時に、この蓋内側タブ２４は、この蓋前壁１８の内側に向かって折り畳まれる。その結果、圧力が、折り畳みタブ１８，２４上に及ぼされる。したがって、これらの折り畳みタブ１８，２４間に配置されたマイクロカプセルが破壊される。独国特許第２４６３３８６号明細書に記載の装置が、この方法を実施するために有益である。当該明細書は、ヒンジ蓋付き箱のための完全な製造工程及び充填工程を開示する。図７が、トグルレバー装置による蓋内側タブ２４の折り畳みを詳細に示す。このトグルレバー装置は、マイクロカプセルを破壊するために十分な圧力を隣接している折り畳みタブ１８，２４上に及ぼす。
【００２２】
図５〜図７によるパックでは、パックの構造が、標準的な構造に対して変更されている。蓋１１又は蓋前壁１８が、（一体的な）拡張部分、つまり蓋舌４３を有する。この蓋舌４３は、円い輪郭を成して形成されているものの、別の形を有してもよい。閉じられている蓋１１のときに、蓋舌４３が、差込舌として箱前壁１３とパックの中身との間の領域内に、挿入され得るように、この実施の形態では箱前壁１３とカラー前壁２５との間の隙間内に挿入され得るように、この蓋舌４３は寸法決めされている。芳香剤のキャリア、この実施の形態では、複数のマイクロカプセル３８が、蓋舌４３（の内側）とカラー前壁２５との間に配置されている。蓋１１を（最初に）開いたときに、又は、蓋舌４３を差込位置から引き出したときに、摩擦力又はせん断応力が、マイクロカプセルに伝達される。したがって、当該マイクロカプセルが破壊され、芳香剤を放出させる（図７）。
【００２３】
通常は、カラー１２が、カラー前壁２５の領域内の接着位置を介して箱前壁１３に結合されている。この実施の形態では、この領域には、接着剤がない。この代わりに、当該カラー１２は、カラー側タブ２６の領域内の接着点４４を介して箱側壁１５，１６の内面に結合されている。
【００２４】
図８及び図９による実施の形態では、パック自体に属するパックの一部が、マイクロカプセル３８を破壊することによって芳香剤を放出させる。パックを初めて開封したときに、フラップ３５が、タバコブロック３１の一部として除去される、すなわち上方に向かってパックから引き出される。マイクロカプセル３８が、フラップ３５の領域内の外面に配置されている。当該マイクロカプセル３８は、カラー１２の内面、特にカラー前壁２５に密接している。
【００２５】
独立した芳香剤のキャリア、すなわちカプセルブランク４５を使用すると、有益である。マイクロカプセル３８が、このカプセルブランク４５の、フラップ３５に面した面上に固着されている。このカプセルブランク４５は、特に接着ブランクとして形成されている、すなわちマイクロカプセル３８を収容するための接着面を有する素材として形成されている。カラー前壁２５に面したスペースのある側では、当該ブランク４５は、特に少なくとも１つの接着点４６を介してカラー前壁２５に結合されている。
【００２６】
この実施の形態では、パックを初めて開封したときに、マイクロカプセル３８が、フラップ３５を引き出すことによって破壊される。マイクロカプセル３８が、せん断応力によって破壊されるように、当該マイクロカプセルは、フラップ３５又はこのフラップ３５の前壁に結合されてもよい。このパックの細部が、外側から見ることができないで、カラー前壁２５によって覆われているように、芳香剤のキャリア、すなわちカプセルブランク４５が配置されている。
【００２７】
図１０〜図１２によるパックでは、芳香剤を放出させるため、つまりカプセルキャリアを変形させることによって芳香剤を放出させるため、機械的な力が、マイクロカプセル３８に伝達される。ブランク、特にラベル４７、線状枢着部２３を覆う特に細長くて長方形のブランクが、接着剤によってパックの後側の領域内に、つまり箱後壁１４と蓋後壁１９とに固着されている。当該ラベル４７は、接着点４８を介して箱後壁１４と蓋後壁１９とに結合されている。マイクロカプセル３８から成る芳香帯４９が、中間領域内の、特に線状枢着部２３に対して中央に形成されている。蓋１１開いたときに、特にラベル４７のこの芳香帯４９の領域が変形され、パックの壁１４及び１９から持ち上げられる。このため、マイクロカプセル３８が破壊され、芳香剤が放出される。この構成でも、芳香剤又はマイクロカプセル３８の領域が覆われている。蓋１１を何回も開閉した後でも、当該ラベル４７は、図示された位置に保持され続ける。
【００２８】
活性物質のキャリア、特に芳香剤を有するマイクロカプセルが、活性物質を放出させるタバコ製品用の別の形態のパックに固着されてもよい。当該マイクロカプセルの固着は、ソフトカートン・パック、ショルダーボックス及びシェル・アンド・スライド式のパックに対して適用され、刻みタバコ用のパック、例えば薄板状のケースに対しても適用される。したがって、当該パック又はケースを初めて開封したときに、マイクロカプセルが、押圧力によって、張力によって、摩擦力によって又はせん断応力によって破壊され、活性物質が放出されるように、当該マイクロカプセルは固着されている。
【００２９】
タバコを取り出すための補助手段を有するヒンジ蓋付き箱では、当該取り出し機構が、マイクロカプセルを固着させるために適する。このことは、特に独国特許出願公開第１０２００９０５３２０２号明細書によるパックに対して成立する。タバコ用の取り出しタブが、タバコブロックとカラー前壁との間に配置されている。マイクロカプセルが、当該取り出しタブの内面及び／又は外面に対して固着され得る。
【００３０】
独国特許出願公開第１０２００９０３４７０５号明細書によるパックでは、密封されているタバコブロック又はインナーブロック用の開閉タブが、マイクロカプセル用のキャリアとして適する。何回も操作可能な当該タブは、持続性の接着領域によってタバコブロックのフィルムに対して剥離可能に固定されている。マイクロカプセルが、当該接着結合部分の領域内に固着され得る。当該マイクロカプセルは、開閉タブを初めて操作するときに破壊される。
【００３１】
欧州特許０５８９２８９号明細書によれば、タバコブロック又は内側の包装紙又は銀紙の包装紙が、引き出しタブ又はフラップを有する。このフラップは、ほとんど底壁の領域まで延在している。この拡張されたフラップは、マイクロカプセル用のキャリアとして有益である。これらのマイクロカプセルは、フラップを引き出すときに破壊される。
【００３２】
破壊可能な活性物質のキャリア、特にマイクロカプセルの上記固着のためには、協働する、少なくとも２つの平面状パック部分が必要である。この場合、マイクロカプセルが、特に接着剤、例えば感圧接着剤によって片側又は両側の平面キャリアに対して固着されている。或る解決手段が有益である。この解決手段の場合、独立したカプセルキャリアを取り出すときに、隣接したパック壁と協働することに起因して、当該マイクロカプセルの破壊を引き起こす摩擦力又はせん断応力が発生するように、当該カプセルキャリアは、パック内に配置されている。この代わりに又はこれに加えて、（覆われて配置された）マイクロカプセルを有するパックの領域が、購買者の積極的な寄与によって、すなわち圧力又は摩擦力を伝達することによって活性され得る。
【００３３】
図１３〜図１５による実施の形態では、平面状の物質キャリア５０が、別の構成として設けられている。活性物質が貯蔵され得るように、この物質キャリア５０は形成されている。液状の構成では、この物質キャリア５０は、発泡層、不織布材料又は吸収紙等から成り得る。当該薄壁の物質キャリア５０は、その都度の活性物質と一緒にパック又はヒンジ蓋付き箱の外面に対して固着されている、この実施の形態では蓋前壁１８に対して固着されている。
【００３４】
物質で充填された当該物質キャリア５０は、パックの開閉領域内に配置されている。この実施の形態では、蓋前壁１８が、打ち抜き加工によって形成された窪み部５２を有する。平面状の物質キャリア５０が、この窪み部５２内に位置決めされている。この場合、窪み部５２の寸法、特に深さが、物質キャリア５０の寸法に適合されている。その結果、この物質キャリア５０は、特にその外面において、蓋前壁１８のその他の部分と（ほぼ）揃っている。これに応じて、蓋内側タブ２４が、短くされていて、窪み部５２の領域の外側に存在する。
【００３５】
当該記載されている構成では、窪み部５２が、活性物質のキャリア（マイクロカプセル）又は物質キャリアを収容するための空間を形成する。この窪み部５２は、特にその周囲においてシールストリップ５３によって包囲されている。窪み部５２を外部から遮断するカバーが、−パックを初めて開封するまで−このシールストリップ５３に密接している。この実施の形態では、タバコパックで一般的な、フィルム等から成る上包み５１が、シール又はカバーとして設けられている。当該上包み５１は、（ヒート）シールによってシールストリップ５３に結合されている。その結果、物質キャリア５０が、密封された包囲空間内に存在する。パックを初めて開封したときに、上包み５１の上部、すなわちフィルムキャップ５４が、（引き裂きストリップを用いて）切除される。パックを開けるまで、フィルムキャップ５４又はこのフィルムキャップ５４の前壁が、窪み部５２のカバー又はシール作用するように、このフィルムキャップ５４は配置されている。物質キャリア５０の外面が、当該従来の開封工程によって露出される。その結果、活性物質、特に冷却媒体が放出される。当該パック又は配置のこの構造は、マイクロカプセルを活性物質のキャリアとして使用するために使用されてもよい。
【符号の説明】
【００３６】
１０  箱部
１１  蓋
１２  カラー
１３  箱前壁
１４  箱後壁
１５  箱側壁
１６  壁側壁
１７  底壁
１８  蓋前壁
１９  蓋後壁
２０  壁側壁
２１  壁側壁
２２  端壁
２３  線状枢着部
２４  蓋内側タブ
２５  カラー前壁
２６  カラー側タブ
２７  接着領域
２８  カラー上部
２９  凹部
３０  内側ブランク
３１  タバコブロック
３２  側折り部
３３  端折り部
３４  折り畳みタブ
３５  フラップ
３６  開口部
３７  クーポン券
３８  マイクロカプセル
３９  摘まみ要素
４０  脚部
４１  端部脚部
４２  接着点
４３  蓋舌
４４  接着点
４５  カプセルブランク
４６  接着点
４７  ラベル
４８  接着点
４９  芳香帯
５０  物質のキャリア
５１  上包み
５２  窪み部
５３  シールストリップ
５４  フィルムキャップ
【図１】
2014524391.tif 000003
【図２】
2014524391.tif 000004
【図３】
2014524391.tif 000005
【図４】
2014524391.tif 000006
【図５】
2014524391.tif 000007
【図６】
2014524391.tif 000008
【図７】
2014524391.tif 000009
【図８】
2014524391.tif 000010
【図９】
2014524391.tif 000011
【図１０】
2014524391.tif 000012
【図１１】
2014524391.tif 000013
【図１２】
2014524391.tif 000014
【図１３】
2014524391.tif 000015
【図１４】
2014524391.tif 000016
【図１５】
2014524391.tif 000017
【国際調査報告】
2014524391.tif 000018
2014524391.tif 000019
2014524391.tif 000020
2014524391.tif 000021
2014524391.tif 000022
2014524391.tif 000023
2014524391.tif 000024
2014524391.tif 000025